(57)【要約】【課題】略円錐形状にした吸収性物品本体が確実に装着されるようにして尿漏れを防止できる男性用使い捨て吸収性物品を提供する。【解決手段】透液性表面シート２と不透液性裏面シート３との間に吸収体４を配設した吸収性物品本体１には、幅方向両外側に弾性体６を配設した吸収体４のフラップ部５を形成し、吸収性物品本体１には長手方向の両端側を重ね合わせて略円錐形状に保持する固着部９を設け、吸収性物品本体１には略円錐形状に保持した吸収性物品本体１の拡開側に位置する吸収体４の幅方向の側縁より外側位置で弾性体６より吸収体４の幅方向の内側に位置して略中央部に切り込み部８を形成する。また、吸収体４には幅方向の一側縁の中央部を挟んだ両側部より他側縁の略中央部に向かって略Ｖ字状の折り込み案内線部を形成する。【選択図】図６
2006212452.tif 000002
【特許請求の範囲】
【請求項１】
少なくとも透液性表面シート、不透液性裏面シートおよびこの透液性表面シートと不透液性裏面シートとの間に配設された吸収体とを有する吸収性物品本体を備え、
前記吸収性物品本体には前記吸収体の幅方向両外側に長手方向に沿ってフラップ部をそれぞれ形成し、
このフラップ部に複数の弾性体をこの吸収性物品本体の長手方向に沿って配設し、
前記吸収性物品本体にはこの吸収性物品本体の長手方向の両端側を重ね合わせて略円錐形状に保持する固着部を設け、
前記吸収性物品本体にはこの略円錐形状に保持した吸収性物品本体の拡開側に位置する前記吸収体の幅方向の側縁より外側位置で、かつ前記弾性体より吸収体の幅方向の内側に位置して前記フラップ部の長手方向の略中央部に切り込み部を形成した
ことを特徴とする男性用使い捨て吸収性物品。
【請求項２】
少なくとも透液性表面シート、不透液性裏面シートおよびこの透液性表面シートと不透液性裏面シートとの間に配設された吸収体とを有する吸収性物品本体を備え、
前記吸収性物品本体には前記吸収体の幅方向両外側に長手方向に沿ってフラップ部をそれぞれ形成し、
このフラップ部に複数の弾性体をこの吸収性物品本体の長手方向に沿って配設し、
前記吸収性物品本体にはこの吸収性物品本体の長手方向の両端側を重ね合わせて略円錐形状に保持する固着部を設け、
前記吸収性物品本体にはこの略円錐形状に保持した吸収性物品本体の拡開側に位置する前記吸収体の幅方向の側縁より外側位置で、かつ前記弾性体より吸収体の幅方向の内側に位置して前記フラップ部の長手方向の略中央部に切り込み部を形成し、
前記吸収体には略円錐形状に保持した吸収性物品本体の拡開側に位置する幅方向の一側縁の中央部を挟んだ両側部より他側縁の略中央部に向かって略Ｖ字状の折り込み案内線部を形成したことを特徴とする男性用使い捨て吸収性物品。
【請求項３】
吸収体には略円錐形状に保持した吸収性物品本体の拡開側に位置する幅方向の側縁の略中央部に切り欠き凹部を形成し、この切り欠き凹部に臨ませて前記吸収性物品本体に切り込み部を形成したことを特徴とする請求項１又は２記載の男性用使い捨て吸収性物品。
【請求項４】
吸収性物品本体の幅方向両外側に形成したフラップ部に配設されている弾性体は、略円錐形状に保持した吸収性物品本体の拡開側に位置する幅方向の一側フラップ部に配設されている弾性体の収縮率より他側フラップ部に配設されている弾性体の収縮率が大きいことを特徴とする請求項１ないし３のいずれかに記載の男性用使い捨て吸収性物品。
【請求項５】
吸収性物品本体の幅方向両外側のフラップ部は透液性表面シートの両縁部と不透液性裏面シートの合成樹脂フィルムの外面側に重合した不織布の両縁部とにて形成したことを特徴とする請求項１ないし４のいずれかに記載の男性用使い捨て吸収性物品。
【発明の詳細な説明】
【技術分野】
【０００１】
本発明は乳幼児用、大人用あるいは失禁用などの男性用使い捨て吸収性物品に関する。
【背景技術】
【０００２】
従来のこの種の失禁用パッドなどの吸収性物品では、例えば特許文献１に記載されているように、吸収性物品本体は透液性表面シートとポリオレフィンなどの合成樹脂フィルムにて形成した不透液性裏面シートとの間に吸収体を介在し、この吸収性物品本体を長手方向の両端側を重ね合わせて粘着して略円錐形状にして使用する構成が知られている。
【特許文献１】特開平８−２８０７２７号公報
【発明の開示】
【発明が解決しようとする課題】
【０００３】
上記従来の男性用使い捨て吸収性物品では、吸収性物品本体を長手方向の両端側を重ね合わせて粘着して略円錐形状にし、この略円錐形状にした吸収性物品本体にて男性器官を覆うように装着して使用した場合、吸収性物品本体が位置ずれし易く、吸収性物品本体の位置ずれによって尿漏れが生ずる問題を有している。
【０００４】
また、ポリオレフィンなどの合成樹脂フィルムにて形成した不透液性裏面シートでは通気性がないため、蒸れが生じて肌にかぶれが発症する問題があった。
【０００５】
さらに、吸収性物品本体を長手方向の両端側を重ね合わせて略円錐形状に保形することが難しく、装着に手数が掛かり、また、略円錐形状にした吸収性物品本体の先端部に隙間が生じることもあり、尿漏れの原因となる問題があった。
【０００６】
本発明は、上記問題点に鑑みなされたもので、略円錐形状にした吸収性物品本体が確実に装着されるようにして尿漏れを防止できる男性用使い捨て吸収性物品を提供するものである。
【課題を解決するための手段】
【０００７】
請求項１記載の発明の男性用使い捨て吸収性物品は、少なくとも透液性表面シート、不透液性裏面シートおよびこの透液性表面シートと不透液性裏面シートとの間に配設された吸収体とを有する吸収性物品本体を備え、前記吸収性物品本体には前記吸収体の幅方向両外側に長手方向に沿ってフラップ部をそれぞれ形成し、このフラップ部に複数の弾性体をこの吸収性物品本体の長手方向に沿って配設し、前記吸収性物品本体には、この吸収性物品本体の長手方向の両端側を重ね合わせて略円錐形状に保持する固着部を設け、前記吸収性物品本体にはこの略円錐形状に保持した吸収性物品本体の拡開側に位置する前記吸収体の幅方向の側縁より外側位置で、かつ前記弾性体より吸収体の幅方向の内側に位置して前記フラップ部の長手方向の略中央部に切り込み部を形成したものである。
【０００８】
そして、吸収性物品本体を長手方向の両端側を重ね合わせて固着部で固着することにより吸収性物品本体は、この吸収性物品本体の長手方向に沿った一側縁が拡開側となり他端縁が閉じられた略円錐形状に保持され、この略円錐形状に保形された吸収性物品本体のフラップ部の長手方向の略中央部に形成されている切り込み部に不透液性裏面シートの外側から内方に向けて男性器官を挿通して男性器官を覆うことができ、吸収性物品本体は位置ずれすることがなく、尿の漏れを確実にできる。
【０００９】
さらに、吸収性物品本体のフラップ部には弾性体が配設されているため、このフラップ部は皺状のギャザーとなって男性器官に柔らかく接触して肌触りよく保持される。
【００１０】
請求項２記載の発明の男性用使い捨て吸収性物品は、少なくとも透液性表面シート、不透液性裏面シートおよびこの透液性表面シートと不透液性裏面シートとの間に配設された吸収体とを有する吸収性物品本体を備え、前記吸収性物品本体には前記吸収体の幅方向両外側に長手方向に沿ってフラップ部をそれぞれ形成し、このフラップ部に複数の弾性体をこの吸収性物品本体の長手方向に沿って配設し、前記吸収性物品本体にはこの吸収性物品本体の長手方向の両端側を重ね合わせて略円錐形状に保持する固着部を設け、前記吸収性物品本体にはこの略円錐形状に保持した吸収性物品本体の拡開側に位置する前記吸収体の幅方向の側縁より外側位置で、かつ前記弾性体より吸収体の幅方向の内側に位置して前記フラップ部の長手方向の略中央部に切り込み部を形成し、前記吸収体には略円錐形状に保持した吸収性物品本体の拡開側に位置する幅方向の一側縁の中央部を挟んだ両側部より他側縁の略中央部に向かって略Ｖ字状の折り込み案内線部を形成したものである。
【００１１】
そして、吸収性物品本体を長手方向の両端側を重ね合わせて固着部で固着することにより吸収性物品本体は、この吸収性物品本体の長手方向に沿った一側縁が拡開側となり他端縁が閉じられた略円錐形状に保持され、この略円錐形状に保形された吸収性物品本体のフラップ部の長手方向の略中央部に形成されている切り込み部に不透液性裏面シートの外側から内方に向けて男性器官を挿通して男性器官を覆うことができ、吸収性物品本体は位置ずれすることがなく、尿の漏れを確実にでき、吸収性物品本体のフラップ部には弾性体が配設されているため、このフラップ部は皺状のギャザーとなって男性器官に柔らかく接触して肌触りよく保持される。
【００１２】
さらに、吸収性物品本体は略Ｖ字状の折り込み案内線部を案内として折り込むことにより容易に略円錐形状に保形できるので装着が容易にでき、確実に略円錐形状に保形できるので、略円錐形状にした吸収性物品本体の先端部に隙間が生じることがなく、尿漏れを確実に防止できる。
【００１３】
請求項３記載の発明の男性用使い捨て吸収性物品は、請求項１又は２記載の男性用使い捨て吸収性物品において、吸収体には略円錐形状に保持した吸収性物品本体の拡開側に位置する幅方向の側縁の略中央部に切り欠き凹部を形成し、この切り欠き凹部に臨ませて前記吸収性物品本体に切り込み部を形成したものである。
【００１４】
そして、吸収性物品本体にて覆われた男性器官は吸収体に接近され、尿漏れがより確実に防止される。
【００１５】
請求項４記載の発明の男性用使い捨て吸収性物品は、請求項１ないし３のいずれかに記載の男性用使い捨て吸収性物品において、吸収性物品本体の幅方向両外側に形成したフラップ部に配設されている弾性体は、略円錐形状に保持した吸収性物品本体の拡開側に位置する幅方向の一側フラップ部に配設されている弾性体の収縮率より他側フラップ部に配設されている弾性体の収縮率が大きいものである。
【００１６】
そして、吸収性物品本体を長手方向の両端側を重ね合わせて固着部で固着することにより吸収性物品本体は、この吸収性物品本体の長手方向に沿った一側縁が拡開側となり他端縁が閉じられた略円錐形状に保持され、しかも、一側フラップ部に配設されている弾性体の収縮率より他側フラップ部に配設されている弾性体の収縮率が大きいため、他縁側が大きく収縮し略円錐形状に保形され易く、他側縁が確実に閉塞され、尿漏れを確実に防止できる。
【００１７】
請求項５記載の発明の男性用使い捨て吸収性物品は、請求項１ないし４のいずれかに記載の男性用使い捨て吸収性物品において、吸収性物品本体の幅方向両外側のフラップ部は透液性表面シートの両縁部と不透液性裏面シートの合成樹脂フィルムの外面側に重合した不織布の両縁部とにて形成したものである。
【００１８】
そして、フラップ部が透液性表面シートと不織布との二枚となり、不透液性裏面シートの合成樹脂フィルムがないために固くならず、肌触りが良好になり、接着部分も少なく、安価に得られる。
【発明の効果】
【００１９】
請求項１記載の発明によれば、吸収性物品本体は、この吸収性物品本体の長手方向に沿った一側縁が閉じられ他端縁が拡開した略円錐形状に保持され、この略円錐形状に保形された吸収性物品本体のフラップ部の長手方向の略中央部に形成されている切り込み部に不透液性裏面シートの外側から内方に向けて男性器官を挿通して男性器官を覆うことができ、吸収性物品本体は位置ずれすることがなく、確実に装着位置に保持されて位置ずれによる尿漏れの防止を確実に防止でき、さらに、吸収性物品本体のフラップ部には弾性体が配設されているため、このフラップ部は皺状のギャザーとなって男性器官に肌触りよく保持される。
【００２０】
請求項２記載の発明によれば、さらに、吸収性物品本体は略Ｖ字状の折り込み案内線部を案内として折り込むことにより容易に略円錐形状に保形できるので装着が容易にでき、確実に略円錐形状に保形できるので、略円錐形状にした吸収性物品本体の先端部に隙間が生じることがなく、尿漏れを確実に防止できる。
【００２１】
請求項３記載の発明によれば、吸収性物品本体にて覆われた男性器官は吸収体に接近され、尿漏れをより確実に防止できる。
【００２２】
請求項４記載の発明によれば、吸収性物品本体を長手方向の両端側を重ね合わせて固着部で固着することにより吸収性物品本体を、この吸収性物品本体の長手方向に沿った一側縁が拡開側となり他端縁が閉じられた略円錐形状に保形するとき、一側フラップ部に配設されている弾性体の収縮率より他側フラップ部に配設されている弾性体の収縮率が大きいため、他縁側が大きく収縮し略円錐形状に保形され易く、他側縁が確実に閉塞され、尿漏れを確実に防止できる。
【００２３】
請求項５記載の発明によれば、フラップ部が透液性表面シートと不織布との二枚となり、不透液性裏面シートの合成樹脂フィルムがないために固くならず、肌触りが良好になり、接着部分も少なく、安価に得られる。
【発明を実施するための最良の形態】
【００２４】
次に、本発明の男性用使い捨て吸収性物品の一実施の形態の構成を図１及び図２に基いて説明する。
【００２５】
図１及び図２において、１は吸収性物品本体で、この吸収性物品本体１は、液透過性を有する透液性表面シート２と、液不透過性を有する不透液性裏面シート３と、この透液性表面シート２と不透液性裏面シート３との間に配設された液吸収性を有する吸収体４とを有し、この吸収性物品本体１は、展開状態で長手方向の中央部を中心として略線対称に形成するとともに、幅方向の中央部を中心として線対称の左右対称に形成されて略細長矩形状となっている。
【００２６】
また、前記吸収体４は、長手方向の中央部を中心として略線対称に形成するとともに、幅方向の中央部を中心として線対称の形状で細長矩形形状に形成されている。
【００２７】
そして、前記透液性表面シート２は、尿を前記吸収体４へ透過できるように液透過性を有し、例えば、織布、不織布、多孔性フィルム、合成繊維などにて吸収性物品本体１の全表面を覆う形状に成形されている。
【００２８】
また、前記不透液性裏面シート３は、上面周縁部が前記透液性表面シート２の下面周辺部に接着剤などで接合されている。この不透液性裏面シート３は、尿が透過できない液不透過性を有し、例えばポリエチレン樹脂のようなポリオレフィンなどの合成樹脂フィルムにて成形されている。
【００２９】
また、前記吸収体４は、前記透液性表面シート２の下面中央部と前記不透液性裏面シート３の上面中央部との間に扁平状で、吸収性物品本体１の少なくとも長手方向中央域を含む位置に配設し、この吸収体４は、尿を吸収できる、例えばパルプを主材料として一部に高分子吸収体などの物質を含んだ材料にて形成されている。
【００３０】
そして、前記透液性表面シート２と前記不透液性裏面シート３との前記吸収体４の幅方向における両側縁の外側に位置する部分は接着剤などにて接合されて前記吸収体４の両外側縁から延出するフラップ部５が前記吸収性物品本体１の長手方向に沿ってそれぞれ形成されている。
【００３１】
さらに、前記吸収性物品本体１の透液性表面シート２と不透液性裏面シート３の幅方向に前記吸収体４の両側縁から外側に延出されたフラップ部５に１本又は複数のゴムなどで形成された略紐状の弾性体６が前記吸収性物品本体１の長手方向に沿って前記透液性表面シート２と前記不透液性裏面シート３との間に伸長状態で配設接合され、この弾性体６にてギャザー７を形成している。
【００３２】
また、前記吸収性物品本体１にはこの略円錐形状に保持した吸収性物品本体１の拡開側に位置する前記吸収体４の幅方向の側縁より外側位置で前記フラップ部５の長手方向の略中央部にこの吸収性物品本体１の長手方向の切り込み部８が直線状に前記透液性表面シート２と前記不透液性裏面シート３とを貫通して形成されている。そして、この切り込み部８は、フラップ部５に前記弾性体６より吸収体４の幅方向の内側に位置して形成している。
【００３３】
さらに、前記吸収性物品本体１の不透液性裏面シート３には、図１、図３および図４に示すように、この吸収性物品本体１の長手方向の両端側を重ね合わせて略円錐形状に保持する固着部９が設けられている。この固着部９は吸収性物品本体１の長手方向の中央位置より一端側に偏倚した位置に設けられ、この固着部９は例えば粘着剤を塗布して形成され、粘着剤には剥離紙が貼着されている。
【００３４】
次に、上記一実施の形態の作用について説明する。
【００３５】
吸収性物品本体１を図３に示すように、先ず、長手方向の一端側を幅方向に対して傾斜状に折り曲げて透液性表面シート２が互いに対向した略三角形状に重合する。そして、粘着剤を塗布した固着部９に貼着されている剥離紙を剥離する。
【００３６】
次いで、図４に示すように、吸収性物品本体１の長手方向の他端側を先に折り込んだ一端側部分の不透液性裏面シート３にこの吸収性物品本体１の他端側の透液性表面シート２を重ね合わせるように幅方向に対して傾斜状に折り曲げて略三角形状に重合し、この他端側の透液性表面シート２を一端側の不透液性裏面シート３に剥離紙を剥がした固着部９の粘着剤に固着することにより吸収性物品本体１はこの吸収性物品本体の長手方向に沿った一側縁が拡開し他端縁が閉じられた略円錐形状に保持される。
【００３７】
そして、この略円錐形状に保形された吸収性物品本体１の拡開側に形成されているフラップ部５の長手方向の略中央部に形成されている切り込み部８に吸収性物品本体１の外側から内方に向けて男性器官を挿通して略円錐形状に保形された吸収性物品本体１内に位置させ、この吸収性物品本体１にて男性器官を覆う状態で装着することができ、また、吸収性物品本体１は位置ずれすることがなく、尿の漏れを確実に防止できる。
【００３８】
さらに、吸収性物品本体１のフラップ部５には弾性体６が配設されているため、このフラップ部５は皺状のギャザー７となって男性器官に柔らかく接触して保持される。
【００３９】
そして、尿は吸収性物品本体１の透液性表面シート２から拡散されて吸収体４に吸収され、また、尿は不透液性裏面シート３により吸収性物品本体１から漏れ出ることがない。
【００４０】
次に他の実施の形態を図５に基いて説明する。
【００４１】
この実施の形態は、図１及び図２に示す実施の形態において、図５に示すように、吸収体４には略円錐形状に保持した吸収性物品本体１の拡開側に位置する幅方向の側縁の略中央部に切り欠き凹部10を形成し、この切り欠き凹部10に臨ませて前記吸収性物品本体１のフラップ部５に切り込み部８を形成した構成で、他の構成は前記実施の形態と同一である。
【００４２】
この実施の形態の作用を説明する。
【００４３】
前記実施の形態と同様に、吸収性物品本体１を図３に示すように、長手方向の一端側を幅方向に対して傾斜状に折り曲げて透液性表面シート２が互いに対向した略三角形状に重合する。次いで、図４に示すように、吸収性物品本体１の長手方向の他端側を先に折り込んだ一端側部分の不透液性裏面シート３にこの吸収性物品本体１の他端側の透液性表面シート２を重ね合わせるように幅方向に対して傾斜状に折り曲げて略三角形状に重合し、この他端側の透液性表面シート２を一端側の不透液性裏面シート３に固着部９に固着することにより吸収性物品本体１はこの吸収性物品本体１の長手方向に沿った一側縁が拡開し他端縁が閉じられた略円錐形状に保持される。
【００４４】
そして、この略円錐形状に保形された吸収性物品本体１の拡開側に臨んだ吸収体４の切り欠き凹部10に位置して形成されている切り込み部８に吸収性物品本体１の外側から内方に向けて男性器官を挿通して吸収性物品本体１内に男性器官を位置させて覆う状態で装着することができ、吸収性物品本体１は位置ずれすることがなく、さらに、吸収性物品本体１にて覆われた男性器官は吸収体４の切り欠き凹部10に形成した切り込み部８から挿通されているため、吸収体４に接近され、尿漏れがより確実に防止される。
【００４５】
さらに、吸収性物品本体１のフラップ部５には弾性体６が配設されているため、このフラップ部５は皺状のギャザー７となって男性器官に柔らかく接触して保持される。
【００４６】
そして、尿は吸収性物品本体１の透液性表面シート２から拡散されて吸収体４に吸収され、また、尿は不透液性裏面シート３により吸収性物品本体１から漏れ出ることがない。
【００４７】
さらに、他の実施の形態を図６に基づいて説明する。
【００４８】
この実施の形態では、前記各実施の形態において、吸収体４には略円錐形状に保持した吸収性物品本体１の拡開側に位置する幅方向の一側縁の中央部を挟んだ両側部より他側縁の略中央部に向かって略Ｖ字状の折り込み案内線部13を形成したものである。この案内線部13は吸収性物品本体１の拡開側と反対側に位置する幅方向の他側縁にて交差する角度θは90°より小さい角度に形成する。また、この案内線部13はエンボスまたは凹溝にて形成する。
【００４９】
この実施の形態では、吸収性物品本体１は略Ｖ字状の折り込み案内線部13を案内として折り込むことにより容易に略円錐形状に保形できるので、装着が容易にでき、確実に略円錐形状に保形できるので略円錐形状にした吸収性物品本体１の先端部に隙間が生じることがなく、尿漏れを確実に防止できる。
【００５０】
次に、図７に示すように、折り込み案内線部13は吸収性物品本体１の拡開側と反対側に位置する幅方向の他側縁近傍にて交差するようにすることができる。この交差する角度θは90°より小さい角度とする。
【００５１】
この実施の形態では、略円錐形状に保形された吸収性物品本体１は閉塞側のフラップ部５が重なり、尿漏れを確実に防止できる。
【００５２】
また、図８に示すように、案内線部13は吸収性物品本体１の拡開側と反対側に位置する幅方向の他側縁にて離間して交差しないようにすることができる。この交差する角度θは90°より小さい角度とする。
【００５３】
この実施の形態では、吸収性物品本体１を図３に示すように、長手方向の一端側を幅方向に対して傾斜状に折り曲げて透液性表面シート２が互いに対向した略三角形状に重合し、図４に示すように、吸収性物品本体１の長手方向の他端側を先に折り込んだ一端側部分の不透液性裏面シート３にこの吸収性物品本体１の他端側の透液性表面シート２を重ね合わせるように幅方向に対して傾斜状に折り曲げて略三角形状に重合し、この他端側の透液性表面シート２を一端側の不透液性裏面シート３に固着部９に固着することにより吸収性物品本体１はこの吸収性物品本体１の長手方向に沿った一側縁が閉じられ他端縁が拡開した略円錐形状に保形する折り込みが容易となる。
【００５４】
さらに、吸収性物品本体１の幅方向両外側に形成したフラップ部５にそれぞれ配設されている弾性体６は、略円錐形状に保持した吸収性物品本体１の拡開側に位置する幅方向の一側フラップ部５に配設されている弾性体６の収縮率より閉塞側の他側フラップ部５に配設されている弾性体６の収縮率が大きくなるようにする。
【００５５】
例えば、吸収性物品本体１の両側フラップ部５に配設されている弾性体６に同一の素材でかつ同一形状の弾性体を用いるときは、略円錐形状に保持した吸収性物品本体１の拡開側に位置する幅方向の一側フラップ部５に配設されている弾性体６を２倍に伸張し、閉塞側の他側フラップ部５に配設されている弾性体６を３倍に伸張して固定することにより収縮率を調整することができる。
【００５６】
また、吸収性物品本体１の両側フラップ部５に配設されている弾性体６に同一の素材で形状の異なる弾性体を用いるときは、略円錐形状に保持した吸収性物品本体１の拡開側に位置する幅方向の一側フラップ部５に配設されている弾性体６を、例えば細いかまたは幅が狭い弾性体とし、閉塞側の他側フラップ部５に配設されている弾性体６を太いが幅の広い弾性体として固定することにより収縮率を調整することができる。
【００５７】
さらに、吸収性物品本体１の両側フラップ部５に配設されている弾性体６に異なる素材の弾性体を用いるときは、略円錐形状に保持した吸収性物品本体１の拡開側に位置する幅方向の一側フラップ部５に配設されている弾性体６を、例えば細い天然ゴムにて成型した弾性体とし、閉塞側の他側フラップ部５に配設されている弾性体６をポリウレタン樹脂にて成型した弾性体として固定することにより収縮率を調整することができる。
【００５８】
そして、この実施の形態では、吸収性物品本体１を長手方向の両端側を重ね合わせて固着部９で固着することにより、吸収性物品本体１は、容易にこの吸収性物品本体１の長手方向に沿った一側縁が拡開側となり他端縁が閉じられた略円錐形状に保持され、しかも、一側フラップ部５に配設されている弾性体６の収縮率より他側フラップ部５に配設されている弾性体６の収縮率が大きいため、他縁側が大きく収縮し略円錐形状に保形され易く、他側縁が確実に閉塞され、尿漏れを確実に防止できる。
【００５９】
さらに、前記各実施の形態において、吸収性物品本体１の不透液性裏面シート３は合成樹脂フィルムの外面側に不織布を重合することにより、吸収性物品本体１の吸収体４の下側から滲み出た尿が合成樹脂フィルムによって漏れることがなく、また、不織布により肌触りが良好に保持できる。
【００６０】
さらに、吸収性物品本体１の不透液性裏面シート３は合成樹脂フィルムの外面側に不織布を重合した実施の形態において、図１３に示すように、吸収性物品本体１の幅方向両外側のフラップ部５は透液性表面シート２の両縁部と不透液性裏面シート３の合成樹脂フィルム15の外面側に重合した不織布16の両縁部とにて形成する。
【００６１】
そして、この実施の形態では、フラップ部５が透液性表面シート２と不織布16との二枚となり、不透液性裏面シート３の合成樹脂フィルム15がないために固くなることがなく、肌触りが良好になり、接着部分も少なく、安価に得られる。
【００６２】
また、前記各実施の形態において、切り込み部８は吸収性物品本体１の長手方向に直線状に形成した構成に限られるものではなく、図９に示すように、直線状の切り込み部８の両端に円形状部14を形成して切り込み部８の端部から裂けることを防止できる。
【００６３】
また、切り込み部８は図１０に示すように、放射線状に形成することもでき、また、図１１に示すように略楕円形状とすることもでき、さらに、図１２に示すように不連続線にて形成することもできる。
【図面の簡単な説明】
【００６４】
【図１】本発明の男性用使い捨て吸収性物品の一実施の形態を示す平面図である。
【図２】同上縦断面説明図である。
【図３】同上男性用使い捨て吸収性物品の折り込み工程を示す説明図である。
【図４】同上男性用使い捨て吸収性物品の折り込んだ状態を示す説明図である。
【図５】本発明の男性用使い捨て吸収性物品の他の実施の形態を示す平面図である。
【図６】本発明の男性用使い捨て吸収性物品の他の実施の形態を示す平面図である。
【図７】本発明の男性用使い捨て吸収性物品の他の実施の形態を示す平面図である。
【図８】本発明の男性用使い捨て吸収性物品の他の実施の形態を示す平面図である。
【図９】本発明の男性用使い捨て吸収性物品の他の実施の形態を示す平面図である。
【図１０】本発明の男性用使い捨て吸収性物品の他の実施の形態を示す平面図である。
【図１１】本発明の男性用使い捨て吸収性物品の他の実施の形態を示す平面図である。
【図１２】本発明の男性用使い捨て吸収性物品の他の実施の形態を示す平面図である。
【図１３】本発明の男性用使い捨て吸収性物品の他の実施の形態を示す縦断面説明図である。
【符号の説明】
【００６５】
１    吸収性物品本体
２    透液性表面シート
３    不透液性裏面シート
４    吸収体
５    フラップ部
６    弾性体
８    切り込み部
９    固着部
10    切り欠き凹部
13    折り込み案内線部
【図１】
2006212452.tif 000003
【図２】
2006212452.tif 000004
【図３】
2006212452.tif 000005
【図４】
2006212452.tif 000006
【図５】
2006212452.tif 000007
【図６】
2006212452.tif 000008
【図７】
2006212452.tif 000009
【図８】
2006212452.tif 000010
【図９】
2006212452.tif 000011
【図１０】
2006212452.tif 000012
【図１１】
2006212452.tif 000013
【図１２】
2006212452.tif 000014
【図１３】
2006212452.tif 000015